(57)【特許請求の範囲】
【請求項１】
シャッター板を巻き上げ下げする巻取部を収容したシャッターケースと、シャッター板の両側部を昇降可能に案内するガイドレールと、シャッター板の端板部に設けられこれを閉鎖位置で施錠するためのロック機構と、このロック機構を解錠操作するために上記端板部の裏側にその長手方向に沿って長尺に形成されると共に水平軸回りに回動可能に設けられた手掛けレバー部材とを備え、上記手掛けレバー部材を長手方向にスライド可能としてその一方端を待機位置とし、手掛けレバー部材は、待機位置にあるときに外部からの衝撃力で回動してもロック機構に接触しない切欠部を有していることを特徴とするシャッター。
【発明の詳細な説明】
【技術分野】
【０００１】
本発明は、シャッターに係り、特にシャッター板の端板部にロック機構を解錠操作するための手掛けレバー部材を備えたシャッターに関するものである。
【背景技術】
【０００２】
建物の窓や出入口等の開口にサッシを設けると共に、そのサッシの外側に防犯や雨除け等として、シャッターを取付けることが行われている（特許文献１参照）。このようなシャッターにおいては、建物の開口を開閉可能に閉鎖するシャッター板の端板部にこれを閉鎖位置で施錠するためのロック機構が設けられている。
【０００３】
また、シャッターにおいては、サッシの障子を左右何れの方向に開放しても上記ロック機構の解錠操作が容易に行えるようにするために、上記端板部の裏側に、その長手方向に沿って長尺に形成された手掛けレバー部材を水平軸回りに回動可能に設けることが行われている。
【０００４】
【特許文献１】特開平９-３１７３６０号公報
【発明の開示】
【発明が解決しようとする課題】
【０００５】
しかしながら、上記シャッターにおいては、シャッター板を閉鎖し、ロック機構を施錠した状態であったとしても、上記端板部に外部から衝撃力が加わった場合、その衝撃力によって上記手掛けレバー部材が回動すると、これによってロック機構が解錠操作されてしまう不具合が発生することが考えられる。
【０００６】
本発明は、上述した従来の技術が有する課題を解消し、外部からの衝撃力で手掛けレバー部材が回動したとしてもロック機構の解錠を防止することができるシャッターを提供することを目的とする。
【課題を解決するための手段】
【０００７】
上記目的を達成するために、本発明は、シャッター板を巻き上げ下げする巻取部を収容したシャッターケースと、シャッター板の両側部を昇降可能に案内するガイドレールと、シャッター板の端板部に設けられこれを閉鎖位置で施錠するためのロック機構と、このロック機構を解錠操作するために上記端板部の裏側にその長手方向に沿って長尺に形成されると共に水平軸回りに回動可能に設けられた手掛けレバー部材とを備え、上記手掛けレバー部材を長手方向にスライド可能としてその一方端を待機位置とし、手掛けレバー部材は、待機位置にあるときに外部からの衝撃力で回動してもロック機構に接触しない切欠部を有していることを特徴とする。
【発明の効果】
【０００８】
本発明によれば、シャッター板を巻き上げ下げする巻取部を収容したシャッターケースと、シャッター板の両側部を昇降可能に案内するガイドレールと、シャッター板の端板部に設けられこれを閉鎖位置で施錠するためのロック機構と、このロック機構を解錠操作するために上記端板部の裏側にその長手方向に沿って長尺に形成されると共に水平軸回りに回動可能に設けられた手掛けレバー部材とを備え、上記手掛けレバー部材を長手方向にスライド可能としてその一方端を待機位置とし、手掛けレバー部材は、待機位置にあるときに外部からの衝撃力で回動してもロック機構に接触しない切欠部を有しているため、外部からの衝撃力で手掛けレバー部材が回動したとしてもロック機構の解錠を防止することができる。
【発明を実施するための最良の形態】
【０００９】
以下に、本発明を実施するための最良の形態を添付図面に基いて詳述する。図１は本発明の実施の形態であるシャッターの斜視図、図２は同シャッターの縦断面図である。
【００１０】
これらの図において、１は建物の開口部に設けられるシャッターで、このシャッター１は、開口部を遮蔽するシャッター板（シャッタースラット、シャッターカーテンともいう）２と、このシャッター板２を巻き上げ下げする巻取部３を収容したシャッターケース４と、シャッター板２の両側部を昇降可能に案内するガイドレール５，５とを備えている。更に具体的には、上記シャッター１は、建物の躯体の外面部に固着具例えばネジ６等で固定されるシャッター枠７を有し、このシャッター枠７に上記シャッターケース４及びガイドレール５が設けられている。上記巻取部３にはシャッター板２を巻き取る方向に付勢する付勢手段例えばコイルバネが組み込まれている。
【００１１】
シャッター枠７は、例えばアルミ押出形材からなる上枠７ａ、中枠７ｂ、下枠７ｃ及び左右の縦枠７ｄ，７ｄにより構成されており、その上枠７ａと中枠７ｂと縦枠７ｄ，７ｄにより区画される空間を巻取部３の収容空間として利用するようにシャッターケース４が設けられ、縦枠７ｄ，７ｄの前面部（室外面）にガイドレール５，５が設けられている。更に具体的には、上記シャッターケース４は、上枠（天板）７ａ、中枠７ｂ及び左右の縦枠７ｄ，７ｄからなる枠部４ａと、該枠部４ａの前面を覆うように設けられた前面カバー４ｂと、該前面カバー４ｂの左右両側面を覆うように設けられた側面カバー４ｃ，４ｃと、枠部４ａの背面を覆うように設けられた背板４ｄとによって主に構成されている。
【００１２】
上記躯体の開口部には窓サッシ（テラスサッシであってもよい）８が設けられており、この窓サッシ８を室外側から覆うようにシャッター１が設けられている。本実施の形態のシャッター１には、窓サッシ８が一体的に組み込まれている。すなわち、シャッター枠７の中枠７ｂ、下枠７ｃ及び左右の縦枠７ｄ，７ｄが、窓サッシ８のサッシ枠部である上枠、下枠及び左右の縦枠を兼用しており、そのサッシ枠部に内外の障子９ａ，９ｂが引違い状に開閉可能に取付けられている。
【００１３】
上記シャッター板２は、水平に細長いスラットを鎧状に縦方向につないでおり、先端部である最下部に端板部（巾木ともいう）１０を有している。上記下枠７ｃの前面部には、シャッター板２の端板部１０の下端部を収容する溝状の受部１１が設けられている。シャッター板２の端板部１０には、これを閉鎖位置で施錠するためのロック機構１２と、このロック機構１２を解錠操作するために上記端板部１０の裏側にその長手方向に沿って長尺に形成されると共に水平軸回りに回動可能に設けられた手掛けレバー部材１３とが設けられている。上記下枠７ｃ、具体的には受部１１の内部には、上記ロック機構１２と対応する位置に、ロック機構１２と係合されるロック受部（ロック受部材又はストライカともいう）１４が設けられている。
【００１４】
図３はシャッター板の端板の背面構造を概略的に示す背面図、図４は同端板部の背面構造を概略的に示す分解斜視図、図５はロック機構を示す図、図６は端板部の断面図である。端板部１０は、例えばアルミ押出形材からなり、図６に示すように、室内側に開放した断面略コ字状に形成されており、その上下の対向面部には、ロック機構１２を端板部１０の左右方向の任意の位置に取付可能とする上下一対のリブ状ないしフィン状のガイド片部１５ａ，１５ｂと、これらガイド片部１５ａ，１５ｂによって区画され、ロック機構１２の裏当板１６を左右方向にスライド可能に係合可能なガイド溝１７ａ，１７ｂとが左右方向に連続して形成されている。
【００１５】
本実施の形態の端板部１０においては、図３ないし図４に示すように、その背面部の両側部に、シャッター板２を上方に巻き上げた時に、中枠７ｂの近傍に配設された停止部材１８に端板部１０が当接する衝撃を吸収するための衝撃吸収機能（ダンパー）を有するストッパー１９が上記ガイド溝１７ａ，１７ｂと、端板部１０に穿設された係合孔２０とを用いて取付けられ、背面部の中間部に、ロック機構１２が取付けられている。ストッパー１９には上記係合孔２０に係合（嵌合）する図示しない係合突起部が形成されている。上記端板部１０の下部には、シャッター板２の閉鎖時に下枠７ｃとの間、具体的には受部１１の内底部との間を封止する気密部材２１が設けられている。
【００１６】
ロック機構１２は、図５に示すように断面コ字状のベースプレート２２を有し、このベースプレート２２の一側部には、上記端板部１０のガイド溝１７ａ，１７ｂに室内側から差し込まれてガイド片部１５ａ，１５ｂの室外面に係止される係止爪部２３ａ、２３ｂが上下に突出形成され、他の一側部には、ガイド片部１１ａ，１１ｂの室内面に当接される当接板部２４が外側に曲げ加工により一体形成されている。
【００１７】
この当接板部２４の室外側には、上記端板部１０のガイド溝１７ａ，１７ｂに差し込まれてガイド片部１５ａ，１５ｂの室外面に当接し、当接板部２４との間でガイド片部１５ａ，１５ｂを前後から挟持する縦長の裏当板１６が固着具例えばネジ２５により締め付け可能及びネジ２５を中心に回動可能に取付けられている。上記ベースプレート２２の凹部側には、ロック部材（ラッチ）２６と、レバー部材２７とがそれぞれ支軸２８，２９を介して回動可能に取付けられている。上記ベースプレート２２には、ロック受部１４の受ピン１４ａが下方から入り込む切欠部３０が形成されている。
【００１８】
上記ロック部材２６は、受ピン１４ａを係合可能な窪み２６ａを有し、シャッター板２の端板部１０が閉鎖位置に下降されると、ロック受部１４の受ピン１４ａに当接して解錠位置から施錠位置に回動して受ピン１４ａを窪み２６ａと切欠部３０内に抱え込んで係止するようになっている。レバー部材２７とロック部材２６とには、レバー２７をロック部材２６の周面に接触させる方向（下方向、時計方向）に付勢すると共にロック部材２６を解錠方向（反時計方向）に付勢する付勢手段であるバネ３１が掛け渡されている。
【００１９】
また、上記ロック部材２６の周面には突起部２６ｂが形成され、レバー部材２７にはロック部材２６が施錠方向に回動したときにその突起部２６ｂと係合してロック部材２６を施錠状態に保持するストッパー部２７ａが形成されている。上記レバー部材２７には、これを解錠方向（反時計方向）に回動操作してロック部材２６の突起部２６ｂとストッパー部２７ａとの係合を解除するための解除部材３２が設けられている。この解除部材３２が手掛けレバー部材１３により下方に操作されることにより、ロック部材２６の突起部２６ｂとストッパー部２７ａとの係合が外れ、ロック部材２６がバネ３１の付勢力で解錠方向に回動してロック受部１４の受ピン１４ａを解放し、シャッター板２が開放可能となる。
【００２０】
手掛けレバー部材１３は、例えばアルミ押出形材からなり、上記端板部１０の上片部３３にヒンジ部３４を介して水平軸周りに回動可能に設けられている。端板部１０の上片部３３の室内側縁部には断面Ｃ字状の軸受部３４ａが形成され、上記手掛けレバー部材１３には上記軸受部３４ａの内周に回動及びスライド可能に嵌合する断面Ｃ字状の軸部３４ｂが形成されている。上記軸受部３４ａと軸部３４ｂによりヒンジ部３４が構成されている。手掛けレバー部材１３は、手を下方から引っ掛ける手掛け部１３ａと、該手掛け部１３ａを上方に持ち上げることによるヒンジ部３４を支点とする反作用で下方に移動して上記ロック機構１２の解除部材３２を押し下げてロック機構１２を解錠する解錠レバー部１３ｂとを有している。
【００２１】
そして、外部からの衝撃力で手掛けレバー部材１３が回動したとしてもロック機構１２の解錠を防止するために、上記手掛けレバー部材１３を長手方向にスライド可能としてその一方端を待機位置イとし、手掛けレバー部材１３は、待機位置イ（図３の右端）にあるとき（図３の状態）に外部からの衝撃力で回動してもロック機構１２に接触しない切欠部４０を有している。ここで、衝撃力とは、端板部を叩くことによる衝撃力の他、振動ないし震動による衝撃力を含む。
【００２２】
本実施の形態では、手掛けレバー部材１３は、ヒンジ３４により左右方向にスライド可能に支持されていると共に、左右のストッパー１９，１９によりスライド移動の範囲が規制されている。手掛けレバー部材１３が右側のストッパー１９の側面に当接又は近接した位置（一方端、右端）が待機位置イとされ、手掛けレバー部材１３が左側のストッパーに当接又は近接した位置（他方端、左端）が操作位置ロとされている。手掛けレバー部材１３を操作時以外は待機位置イに保持しておくために、手掛けレバー部材１３にはこれを待機位置イに付勢する付勢手段であるバネ４１が設けられていることが好ましい。図示例では、手掛けレバー部材１３の左端と左側のストッパー１９との間にコイル状のバネ４１が介設されている。
【００２３】
この手掛けレバー部材１３が待機位置イにあるときに外部からの衝撃力で手掛けレバー部材１３がヒンジ部３４を支点に回動ないし揺動したとしてもこれによってロック機構１２が解錠操作されないようにするために、手掛けレバー部材１３の解錠レバー部１３ｂにはロック機構１２の解除部材３２と対応する部分（箇所）に解除部材３２との接触を回避するための切欠部４０が設けられている。したがって、シャッター板２の端板部１０が外部から衝撃力を受け、手掛けレバー部材１３が勝手に回動したとしても、解錠レバー部１３ｂが空振りするだけでロック機構１２の解除部材３２を押すことがなく、上記衝撃力に起因するロック機構１２の勝手な解錠を防止することができる。
【００２４】
ロック機構１２を解錠する場合には、手掛けレバー部材１３を待機位置イとは反対側の操作位置ロに移動し、この操作位置ロで手掛けレバー部材１３を回動操作することにより解錠レバー部１３ｂで解除部材３２を押してロック機構１２を解錠することができる。
【００２５】
なお、手掛けレバー部材１３には、これを楽な姿勢で操作可能とする紐部材３５が紐取付部材３６を介して取付けられている。この紐部材３５を引っ張る力を利用して手掛けレバー部材１３を待機位置イから操作位置ロに移動させるために次のように構成されていることが好ましい。紐取付部材３６を手掛けレバー部材１３の長手方向の任意の位置に取付けるために、手掛けレバー部材１３には、手掛け部１３ａ又はその近傍に断面略Ｃ字状の取付溝３７が長手方向に形成されている。
【００２６】
紐取付部材３６は、取付溝３７に沿って摺動可能に嵌合されると共に所望位置にネジ等の固定手段（図示省略）によって固定される基部３６ａと、この基部３６ａに室内外方向の支軸３６ｂを介してその支軸周りに所定の回動範囲（所定角度）θ（θは例えば水平位置から反時計方向に４５°〜６０°程度）で回動可能に設けられたレバー部３６ｃとから構成されている。このレバー部３６ｃに紐部材３５の一端が固定され、紐部材３５の他端にはシャッター板２に吸着保持可能な磁石を有する摘み部材３９が取付けられている。
【００２７】
レバー部３６ｃは自重で水平位置に待機しており（図３参照）、図７（ａ）に示すように摘み部材３９を持って紐部材３５を上方に引っ張ると、レバー部３６ｃが支軸３６ｂを支点に反時計方向（矢印ｘ）に所定角度θ回動して止まり、次いで手掛けレバー部材１３がレバー部材３６ｃを介して作用する水平方向の分力によりバネ４１の付勢力に抗して操作位置ロの方向（矢印ｙ）にスライドし、手掛けレバー部材１３が操作位置ロに至ると図７（ｂ）に示すようにヒンジ部３４を支点に上方（矢印ｚ）に回動し、このとき切欠部４０が解除部材３２の位置から外れていることから解錠レバー部１３ｂが空振りすることなく解除部材３２を押し、ロック機構１２を解錠することができる。
【００２８】
ロック機構１２の解錠後、更に紐部材３５を上方に引っ張ることによりシャッター板２を上方に巻き上げて容易に開放することができる。そして、上記紐部材３５ないし摘み部材３９を手から離すと、紐部材３９は下方に垂れ下がった状態となり、次にシャッター板を巻き下げるときにその紐部材を下方に引っ張ることにより容易にシャッター板を遮蔽することができる。なお、上方に引っ張った紐部材を放すと紐取付部材のレバー部が傾斜状態から水平状態に自重で復帰し、バネ４１の付勢力により手掛けレバー部材１３が待機位置イにスライド復帰される。
【００２９】
以上のように構成されたシャッター１によれば、シャッター板２を巻き上げ下げする巻取部３を収容したシャッターケース４と、シャッター板２の両側部を昇降可能に案内するガイドレール５と、シャッター板２の端板部１０に設けられこれを閉鎖位置で施錠するためのロック機構１２と、このロック機構１２を解錠操作するために上記端板部１０の裏側にその長手方向に沿って長尺に形成されると共に水平軸回りに回動可能に設けられた手掛けレバー部材１３とを備え、上記手掛けレバー部材１３を長手方向にスライド可能としてその一方端を待機位置イとし、手掛けレバー部材１３は、待機位置イにあるときに外部からの衝撃力で回動してもロック機構１２に接触しない切欠部４０を有しているため、シャッター板２の端板部１０が外部から衝撃力を受け、その衝撃力により手掛けレバー部材１３が回動したとしても空振りするだけで機能することがなく、ロック機構１２の解錠を防止することができる。したがって、強い衝撃や震動等によってロック機構１２が解錠されてシャッター板２が勝手に開いてしまう不具合を防止することができ、ロック機構１２及びシャッター１の信頼性及び防犯性の向上が図れる。
【００３０】
以上、本発明の実施の形態ないし実施例を図面により詳述してきたが、本発明は上記実施の形態ないし実施例に限定されるものではなく、本発明の要旨を逸脱しない範囲での種々の設計変更が可能である。例えば、巻取部は、電動で駆動されるものであってもよい。手掛けレバー部材を操作時以外は待機位置に保持するために、上記実施の形態では付勢手段であるバネが用いられているが、吸着保持手段である磁石を用いるようにしてもよい。
【図面の簡単な説明】
【００３１】
【図１】本発明の実施の形態であるシャッターの斜視図である。
【図２】同シャッターの縦断面図である。
【図３】シャッター板の端板部の背面構造を概略的に示す背面図である。
【図４】同端板部の背面構造を概略的に示す分解斜視図である。
【図５】ロック機構を示す図で、（ａ）は正面図、（ｂ）は側面図、（ｃ）は底面図である。
【図６】端板部の断面図である。
【図７】ロック機構を解錠する場合の説明図で、（ａ）は背面図、（ｂ）は断面図である。
【符号の説明】
【００３２】
１  シャッター
２  シャッター板
３  巻取部
４  シャッターケース
５  ガイドレール
１０  端板部
１２  ロック機構
１３  手掛けレバー部材
４０  切欠部
イ  待機位置
【図１】
0004823712.tif 000002
【図２】
0004823712.tif 000003
【図３】
0004823712.tif 000004
【図４】
0004823712.tif 000005
【図５】
0004823712.tif 000006
【図６】
0004823712.tif 000007
【図７】
0004823712.tif 000008